(57)【要約】【課題】鍼療法時における十分な感染防止効果に加え、指先への貼付が簡単であって、しわが生じ難く、感触に多くを頼っている鍼治療に影響を与えない鍼治療用指先感染防止シートの提供。【解決手段】キャリヤー、粘着シート及びライナーを含み、粘着シートは、長手方向の最大寸法が３０ｍｍ〜７０ｍｍの範囲、及び幅方向の最大寸法が２０ｍｍ〜４０ｍｍの範囲であり、キャリヤーは１．０Ｎ／ｃｍ以上、且つ８．０Ｎ／ｃｍ以下の５％モジュラスを有し、粘着シートは１．０Ｎ／ｃｍ以下の５％モジュラスを有する、鍼治療用指先感染防止シート。【選択図】図１
2010063547.tif 000002
【特許請求の範囲】
【請求項１】
キャリヤー、粘着シート及びライナーを含む、鍼治療用指先感染防止シートであって、
粘着シートは、長手方向の最大寸法が３０ｍｍ〜７０ｍｍの範囲、及び幅方向の最大寸法が２０ｍｍ〜４０ｍｍの範囲であり、
キャリヤーは１．０Ｎ／ｃｍ以上、且つ８．０Ｎ／ｃｍ以下の５％モジュラスを有し、
粘着シートは１．０Ｎ／ｃｍ以下の５％モジュラスを有する、
前記鍼治療用指先感染防止シート。
【請求項２】
粘着シートの外周の少なくとも一部に切欠部が形成され、該切欠部は、深さが７ｍｍ以上であり、開き角度が７．５〜６０°である、請求項１の鍼治療用指先感染防止シート。
【請求項３】
粘着シートの端部にタブが設けられている、請求項１又は２記載の鍼治療用指先感染防止シート。
【発明の詳細な説明】
【技術分野】
【０００１】
本発明は、鍼治療用指先感染防止シートに関する。更に詳しくは、鍼治療施術において施術者が患者体液により感染すること及び施術者の常在菌が患者体内へ侵入することを防止するシートに関する。
【背景技術】
【０００２】
鍼治療・鍼療法とは、鍼灸師が金属針を患者の経絡部分に導入して物理的な刺激を与え、その刺激に対する人体の反応を利用して疼痛の低減や体調の改善を行う治療方法である。金属針は患者の体内に導入され、血管やリンパ管などを貫通するため、鍼治療においては菌による感染が起きる可能性がある。そのため、また、鍼灸師（施術者）は、通常、滅菌処理された金属針を使用しており、更に、金属針を抜き差しする際の感染を防ぐため、感染防止策を講じることが必要となる場合がある。現在、施術者及び患者間の感染防止手段としては、滅菌手袋や滅菌指サック等が用いられている。
【０００３】
特許文献１には、シール保持体の表面に所定間隔を空けて指先保護シールを剥離可能に貼着したことを特徴とする指先保護シール装着体が記載されている。
【０００４】
【特許文献１】特開２００７−７２２１号公報
【発明の開示】
【発明が解決しようとする課題】
【０００５】
鍼療法時における十分な感染防止効果に加え、指先への貼付が簡単であって、しわが生じ難く、感触に多くを頼っている鍼治療に影響を与えない感染防止手段が依然として求められている。
【課題を解決するための手段】
【０００６】
本発明は、キャリヤー、粘着シート及びライナーを含み、粘着シートは、長手方向の最大寸法が３０ｍｍ〜７０ｍｍの範囲、及び幅方向の最大寸法が２０ｍｍ〜４０ｍｍの範囲であり、キャリヤーは１．０Ｎ／ｃｍ以上、且つ８．０Ｎ／ｃｍ以下の５％モジュラスを有し、粘着シートは１．０Ｎ／ｃｍ以下の５％モジュラスを有する、鍼治療用指先感染防止シートに関する。
【発明の効果】
【０００７】
本発明の鍼治療用指先感染防止シートは、十分な感染防止効果を発揮すると同時に、指先への貼付が簡単であり、しわも生じ難い。また、蒸れ等の不快感がなく、装着による違和感もない。よって、鍼治療時において、本発明の鍼治療用指先感染防止シートを使用しても、施術に影響を与えることはない。
【発明を実施するための最良の形態】
【０００８】
以下、本発明の一実施形態について、図面を参照しながら、より詳細な説明を行う。なお、本発明の鍼治療用指先感染防止シートは、以下の実施態様に限定されるものではない。
【０００９】
図１に示すように、本発明の鍼治療用指先感染防止シート１は、キャリヤー２、粘着シート３及びライナー４をこの順序で含む積層体である。かかる鍼治療用指先感染防止シート１を使用する際には、まず、シート１からライナー４を剥がし、キャリヤー２及び粘着シート３を含む積層体を指に貼付する。次いで、かかる積層体を指に貼付した後に、積層体からキャリヤー２を剥がし、粘着シート３の部分を指につけた状態で、施術を行う。
【００１０】
キャリヤー２は、１．０Ｎ／ｃｍ以上の５％モジュラスを有している。５％モジュラスが１．０Ｎ／ｃｍより小さくなると、貼付しようとする際にキャリヤー２の粘着面同士が貼りついてしまったりして作業性が悪くなる。ある態様においては、１．３Ｎ／ｃｍ以上、又は１．５Ｎ／ｃｍ以上の５％モジュラスであってもよい。一方、キャリヤー２は８．０Ｎ／ｃｍ以下の５％モジュラスを有している。キャリヤー２の５％モジュラスが８．０Ｎ／ｃｍより大きくなると、剛性が高くなり、柔軟性に欠けるため指へ貼付する際の追従性が悪化し、しわが生じやすい。ある態様によっては、６．０Ｎ／ｃｍ以下、又は５．０Ｎ／ｃｍ以下の５％モジュラスであってもよい。
【００１１】
ここで、キャリヤー２の５％モジュラスの測定方法としては、以下の方法に従う。まず、キャリヤー２を１２ｍｍ幅×約２００ｍｍ長さに切り出して、サンプルを作製する。次いで、チャック間距離が１００ｍｍとなるように定速引張試験機（例：株式会社エー・アンド・デイ製 テンシロン）に固定し、毎分１０ｍｍの速度で長さ方向にサンプルを引っ張る。そして、サンプルが元の長さの５％（この場合は５ｍｍ）変形したときの荷重を、１ｃｍ幅単位あたりの荷重に換算し、得られた値を５％モジュラスとする。
【００１２】
キャリヤー２の材質については、特に、制限はない。指への貼付時に必要となる高い追従性と作業性のバランスという観点から、上記範囲内の５％モジュラスを有するものであれば、素材は限定されない。ただし、実際には、製造時における経済性や入手容易性の観点から、キャリヤー２は樹脂製ものが好ましい。樹脂製のキャリヤーとしては、ポリエチレンフィルム（ポリプロピレンとのブレンド品も含む）、ＥＶＡフィルム、ポリウレタンフィルム、ポリエステルフィルム、ポリ塩化ビニルフィルム、ポリ塩化ビニリデンフィルム、アイオノマーフィルム、アクリルフィルムが挙げられる。ある態様においては、ポリエチレン製のキャリヤーを使用することができる。
【００１３】
また、キャリヤー２の厚さについても、特に、制限はなく、キャリヤー２が上記範囲内の５％モジュラスを有するよう適宜調製すればよい。一般的に、キャリヤー２は５〜１００μｍの厚さであり、ある態様においては、２５〜８０μｍの厚さである。なお、キャリヤー２は一層であっても多層であってもよい。
【００１４】
ある態様においては、１．０〜６．０Ｎ／ｃｍの５％モジュラスを有する、２５〜８０ミクロン厚のポリエチレンフィルムがキャリヤー２として用いられる。
【００１５】
キャリヤー２の形状及び大きさについては、粘着シート３の全体を覆うことができるのであれば、特に制限はない。キャリヤー２と粘着シート３とが同一形状（同一サイズ）であってもよい。キャリヤー２が粘着シート３より小さく、粘着シート３においてキャリヤー２で覆われていない部分が存在する場合には、鍼治療用指先感染防止シート１保存時における衛生面で問題が生じる可能性がある。ある態様においては、粘着シート３の全体を覆い、粘着シート３のサイズより２〜２０ｍｍ程度大きい（長手方向及び幅方向共に）サイズのキャリヤー２が使用される。
【００１６】
次に、粘着シート３について説明する。粘着シート３は、長手方向の最大寸法（Ａ）が３０ｍｍ〜７０ｍｍの範囲であり、幅方向の最大寸法（Ｂ）が２０ｍｍ〜４０ｍｍの範囲である。また、長手方向の最大寸法と幅方向の最大寸法とは異なる寸法であっても、同寸法であってもよい。
【００１７】
ここで、長手方向の最大寸法（Ａ）とは、鍼治療用指先感染防止シートのうち、長手方向に平行な長さとして最も長い寸法を意味し、同様に、幅方向の最大寸法（Ｂ）とは、鍼治療用指先感染防止シートのうち、幅方向に平行な長さ（すなわち、長手方向に直交する長さ）として最も長い寸法を意味する。長手方向の最大寸法（Ａ）が３０ｍｍより短くなると、指の腹の部分を十分に覆うことができず、最大寸法（Ａ）が７０ｍｍを超えると、保護する箇所を大きく越えて貼付されるため、経済的に望ましくないだけではなく、施術の際に悪影響を及ぼす可能性がある。また、幅方向の最大寸法（Ｂ）が２０ｍｍより短い場合は、指の側面を十分に覆うことができず、また、最大寸法（Ｂ）が４０ｍｍを超えると、保護する箇所を大きく越えて貼付されるため、経済的に望ましくないだけではなく、施術の際に悪影響を及ぼす可能性がある。
【００１８】
粘着シート３は、１．０Ｎ／ｃｍ以下の５％モジュラスを有する。５％モジュラスが１．０Ｎ／ｃｍより大きいと剛性が高すぎ、柔軟性に欠けるため指へ貼付する際の追従性が悪化し、しわが生じやすい。それに加えて、装着中の違和感が大きくなり、施術に影響が出る可能性がある。なお、粘着シート３における５％モジュラスの下限については、特に制限はないが、５％モジュラスが低くなり過ぎると細菌に対するバリヤー性に支障が出るおそれがあるだけでなく、施術後に粘着シートを指から剥離する際に破れやすくなり、作業性が低下する場合がある。一般的には、粘着シート３の５％モジュラスは、０．０５Ｎ／ｃｍ以上とすることが好ましい。
【００１９】
粘着シート３の５％モジュラスの測定方法としては、キャリヤー２同様、以下の方法に従う。まず、粘着シート３を１２ｍｍ幅×約２００ｍｍ長さに切り出して、サンプルを作製する。次いで、チャック間距離が１００ｍｍとなるように定速引張試験機（例：株式会社エー・アンド・デイ製 テンシロン）に固定し、毎分１０ｍｍの速度で長さ方向にサンプルを引っ張る。そして、サンプルが元の長さの５％（この場合は５ｍｍ）変形したときの荷重を、１ｃｍ幅単位あたりの荷重に換算し、得られた値を５％モジュラスとする。
【００２０】
粘着シート３の形状については、特に制限はなく、長手方向及び幅方向の寸法が上記した範囲内であればいずれの形状であっても使用可能である。具体的には、三角形、正方形、矩形、多角形、円形、楕円形等の形状を有するシートが使用される。図１に示すように、粘着シート３の角の部分は、面取り加工されていてもよい。ある態様においては、長さ（長手方向の最大寸法）５０ｍｍ、幅（幅方向の最大寸法）３０ｍｍ程度の長方形で、角の部分を面取り加工したものが用いられる。
【００２１】
また、図２に示すように、粘着シート３Ａは、外周の少なくとも一部に切欠部５を有していても良い。切欠部の位置については特に制限はない。粘着シート３Ａに切欠部５を設けることにより、指先部分のような三次元形状を有する部分に貼付する場合でも、より容易に且つしわを生ずることなく、粘着シート３Ａをキャリヤー２と共に貼付できる。
【００２２】
粘着シート３Ａに切欠部５を設ける場合、しわの発生防止効果を高めるためには、粘着シート３Ａの貼付時において、指先側となる部分に、切欠部５を設けることが好ましい。なお、切欠部５の個数についても、特に制限はない。更に、切欠部５は、粘着シート３Ａの一方に設けてもよく、また、左右異なる位置に設けても、左右一対となるよう対称の位置に設けても良い。
【００２３】
また、切欠部５の開き角度θは、７．５〜６０°の範囲とすることが好ましい。ここで、切欠部５の開き角度θとは、図２に示されるように、切欠部を構成する一方の切欠縁５Ａの接線と他の切欠縁５Ｂの接線とのなす角度をいう。切欠部５の開き角度θが６０°より大きくなると粘着シート３Ａでカバーされない部分ができる場合があり、感染防止という本来の目的を達成できない場合がある。ある態様においては、開き角度θの上限を４５°以下、また３０°以下とすることもできる。一方、切欠部５の開き角度θが７．５°よりも小さくなると、しわの発生防止効果が薄れて、しわの発生本数が、切欠部を設けていないものと変わらなくなる傾向が見られる。ある態様においては、開き角度θの下限を１５°以上とすることもできる。
【００２４】
切欠部５の深さは、しわ発生防止効果の観点から、７ｍｍ以上とすることが好ましい。ここで、切欠部５の深さとは、図２に示されるように、切欠部を構成する一方の切欠縁５Ａと他の切欠縁５Ｂとが交わる点から粘着シート３Ａの外周縁までの粘着シート３Ａの幅方向に平行な長さＣをいう。切欠部５の深さＣの上限については、特に制限はなく、粘着シート３Ａの長手方向及び幅方向の寸法との関係から適宜決定すればよいが、一般的には１０ｍｍ以下、ある態様においては８ｍｍ以下である。
【００２５】
さらに、図３に示すように、粘着シート３は、長手方向端部にタブ６を有していても良い。粘着シート３にタブ６を設けることにより、指への貼付の際にライナー４を取り除く作業が容易となり、また、施術後の粘着シート３の除去をより簡単に行うことができる。
【００２６】
ある態様においては、上記タブ６は、粘着シート３における指の根元に近い部分に設けられる。また、タブ６は、一般に、粘着シート３のライナー４側に設けられる。
【００２７】
鍼治療用指先感染防止シート１において粘着シート３は、実際の施術時において、指を覆う部分となる。したがって、粘着シート３における指側の面は、指に粘着可能な構造を有している。また、粘着シート３において、指に貼付される面と反対側の面は、施術の際に悪影響を及ぼさない（例えば、蒸れない、指の感触に違和感を与えない）構造となっている。
【００２８】
ある態様においては、粘着シート３の片面に指との貼付用に粘着層を設けることができる。この場合、粘着シート３における粘着層がライナー４側、粘着層を設けられていない面がキャリヤー２側となり、粘着シート３とライナー４とは粘着シート３の粘着層を介して積層されている。なお、粘着シート３とキャリヤー２の積層方法は、後述のとおり、キャリヤー表面への粘着シート基材樹脂溶液の塗布や、キャリヤー表面に低粘着加工をした上で粘着シート基材を貼り合せる等の当業界において公知である一般的手法に従えばよい。
【００２９】
一方の面に指との貼付用に粘着層を設けた粘着シート３は、まず、粘着シート３用の基材を準備し、次いで、この基材の一方の表面に粘着層を設けることにより得ることができる。この場合の基材については、施術の際に悪影響を及ぼさないものであれば、特に限定されない。例えば、点滴の刺入部に感染防止のために使用する透明ドレッシング材や防水絆創膏の基材として広く使われており、追従性や透湿性を有している材料が使用可能である。具体的には、ポリウレタンフィルム、ポリエステルフィルム等が使用できる。基材の厚さについても、施術の際に悪影響を及ぼさないのであれば、特に制限はない。ある態様においては、厚さが約２０μｍの透湿性の高い伸縮性ポリウレタンフィルムが使用される。なお、基材は一層であっても多層であってもよい。
【００３０】
粘着層については、アクリル系、合成ゴム系、天然ゴム系、シリコーン系その他の粘着剤を適宜使用し、これらの粘着剤を塗布することにより設けることができる。アレルギー性や透湿度、経済性の面からアクリル系粘着剤を使用することが望ましい。粘着剤の塗工方法については、溶剤系、水系、ホットメルト系のいずれかの方法でも塗布可能であり、適宜選択して塗工することができる。また、塗布面積、塗布厚さについても、接着剤特性及びシート形状等に応じて適宜選択できる。ある態様においては、高透湿性のアクリル系粘着剤を３０μm厚で基材に全面塗布したものが粘着層として使用される。
【００３１】
粘着シート３において指に貼付される面と反対側の面は、通常の平滑な状態であれば、更に表面処理等を行う必要はない。ある態様においては、表面をマット調にしてすべり性を付与することもできる。
【００３２】
ライナー４については、鍼治療用指先感染防止シート１の保管時における粘着シート３の粘着層の保護と、使用時にライナー４が粘着層から容易に剥離できるという性能を満たすものであれば、特に限定されない。ライナー４は一層であっても多層であってもよい。ある態様においては、剥離処理を行った紙を使用できる。具体的には１００μｍ程度の上質紙に２０μｍ程度のポリエチレンをラミネートしたものにシリコーン系の剥離剤を塗布したものが使用される。
【００３３】
ライナー４の形状及び大きさについては、粘着シート３の全体を覆うことができるのであれば、特に制限はない。一般的には、ライナー４と粘着シート３とは同一形状（同一サイズ）であるが、粘着シート３のサイズより２〜２０ｍｍ程度大きい（長手方向及び幅方向共に）サイズのライナー４を用いてもよい。ライナー４が粘着シート３より小さく、粘着シート３において粘着層がライナー４で覆われていない部分が存在する場合には、鍼治療用指先感染防止シート１保存時における衛生面で問題が生じる可能性がある。
【００３４】
本発明の鍼治療用指先感染防止シート１の製法については、特に限定はなく、一例として、次の製法が挙げられる。まず、キャリヤー２表面に粘着シート３の基材となる材料を塗布して基材部分を設けたものと、ライナー４表面に粘着剤を塗布して粘着シート３の粘着層を設けたものを用意し、基材と粘着層を貼り合せることにより、粘着シート３がキャリヤー２とライナー４で保護されたシート（原反）を得ることができる。キャリヤー２への基材材料の塗布は溶剤系、ホットメルトなど一般的に知られている工程で塗布することができる。またライナーへの粘着剤の塗布は溶剤系、水系、ホットメルト系など、一般的に知られている方法で塗布することができる。
【００３５】
次に、得られたシート（原反）を所定の形状を有する鍼治療用指先感染防止シート１に加工する。加工方法については、特に制限はない。例えば、刃の高さが２段階に加工された打ち抜き具を用いて、幅広のシート（原反）から鍼治療用指先感染防止シート製品形状に、一回で物理的に打ち抜く方法が挙げられる。ほかにも、レーザー加工などの加工方法により、所定形状の鍼治療用指先感染防止シート１に仕上げることができる。
【００３６】
上述のように、本発明の鍼治療用指先感染防止シートは、鍼治療の際、まず、シート１からライナー４を剥がし、キャリヤー２及び粘着シート３を含む積層体を指に貼付し、次いで、積層体からキャリヤー２を剥がし、図４に示すように、粘着シート３の部分を指につけて用いられる。ある態様においては、親指のみ、人差し指のみ、又は親指及び人差し指の両方（指の腹、側面及び先端部）を粘着シート３で覆い、かかる粘着シート３の存在により物理的に感染を防止する。鍼治療後は、粘着シート３を指から剥がすことで除去する。
【００３７】
本発明の前記鍼治療用指先感染防止シート１は、簡単に、しわも生じさせることなく、しかも粘着シート背面に体の他の部分が触れることなく指に貼付することができる。また、図４及び５に示すように、本発明の前記鍼治療用指先感染防止シート１（粘着シート３）は、装着部分が針に触れる部分周辺に限定されているため違和感が非常に小さく、また、蒸れ等の不快感がなく、鍼治療時において、本発明の鍼治療用指先感染防止シート１を使用しても、施術に影響を与えることはない。
【実施例】
【００３８】
以下、本発明の実施例について更に詳細に説明するが、本発明はこれらの実施例に限定されるものではない。
【００３９】
（例１〜６）
＜鍼治療用指先感染防止シートの作製方法＞
表１に記載されるキャリヤーと、２０μｍ厚の伸縮性ウレタンフィルム基材にアクリル系粘着剤を塗工することで粘着層を設けた粘着シートと、上質紙にシリコーン処理したライナーとを、キャリヤーと粘着シートの基材とが接合するように、またライナーと粘着シートの粘着層が接合するように、貼り合わせた。次いで、例１〜５については、図１に示される形状に、キャリヤー、粘着シート及びライナーを切り出し、鍼治療用指先感染防止シートを作製した。なお、例１〜例５における長手方向の最大寸法Ａ及び幅方向の最大寸法Ｂは、表１に示すとおりである。また、例６については、直径２０ｍｍの円形状に、キャリヤー、粘着シート及びライナーを切り出し、鍼治療用指先感染防止シートを作製した。
【００４０】
＜キャリヤー及び粘着シートの５％モジュラス測定方法＞
５％モジュラスの測定方法としては、以下の方法に従った。まず、キャリヤー及び粘着シートをそれぞれ１２ｍｍ幅×約２００ｍｍ長さに切り出して、測定サンプルとした。次いで、得られたサンプルを、チャック間距離が１００ｍｍとなるように定速引張試験機（例：株式会社エー・アンド・デイ製 テンシロン）に固定し、毎分１０ｍｍの速度で長さ方向にサンプルを引張った。そして、サンプルが元の長さの５％（この場合は５ｍｍ）変形したときの荷重を、１ｃｍ幅単位あたりの荷重に換算し、得られた値を５％モジュラスとした。
【００４１】
＜鍼治療用指先感染防止シートの指先への貼付性＞
得られた鍼治療用指先感染防止シートの貼付性を、以下の（１）及び（２）の観点から判断した。
（１）キャリヤーと粘着シートの積層体を指先に貼る際に、積層体の剛性が低すぎて貼付時に粘着面同士が貼りついてしまう。
（２）キャリヤーと粘着シートの積層体を指先に貼る際に、積層体の剛性が高すぎて貼付時にしわが多く生じてしまい、上手く貼り付けできない。
（１）又は（２）のどちらにも該当しない場合、貼付性「良」とし、（１）又は（２）のどちらか一方（若しくは両方）に該当する場合、貼付性「不良」とした。結果を表１に示す。
【００４２】
＜鍼治療用指先感染防止シートの指先の保護性＞
また、得られた鍼治療用指先感染防止シートの保護性を、以下の（１）、（２）及び（３）の観点から判断した。
（１）粘着シートを指先に貼付した際、感染源である金属針が接触する可能性のある指先の範囲（側面も含む）を充分保護している。
（２）粘着シートを指先に貼付した際、保護している部分が本来の目的より広く、粘着シートが必要でない部分にも存在している。
（３）粘着シートを指先に貼付した際、保護している部分が本来の目的より狭く、感染源である金属針が接触する可能性のある指先の範囲（側面も含む）を充分保護していない。
（１）に該当する場合、保護性「良」とし、（２）又は（３）に該当する場合、保護性「不良」とした。
【００４３】
【表１】
2010063547.tif 000003
【００４４】
（例７〜１３）
＜鍼治療用指先感染防止シートの作製方法＞
５０μｍ厚のポリエチレン製キャリヤーと、２０μｍ厚の伸縮性ウレタンフィルム基材にアクリル系粘着剤を塗工することで粘着層を設けた粘着シートと、上質紙にシリコーン処理したライナーとを、キャリヤーと粘着シートの基材とが接合するように、またライナーと粘着シートの粘着層が接合するように、貼り合わせた。次いで、キャリヤー、粘着シート及びライナーを、図１に示す形状に切り出した（長手方向の最大寸法Ａ：５０ｍｍ、幅方向の最大寸法Ｂ：３０ｍｍ）。更に、カッターを用いて、所定形状の切欠部を所定位置に設け、例７〜１３の鍼治療用指先感染防止シートを作製した。図２は、例７、９、１０及び１１における切欠部の開き角度θが４５゜である形態を示し、図６は、例８における切欠部の開き角度θが１５゜である形態を示し、図７は、例１２における切欠部の開き角度θが９０゜である形態を示し、図８は、例１３における切欠部の開き角度θが０゜である形態（スリット）を示す。例７〜１３の鍼治療用指先感染防止シートにおける切欠部の位置Ｄ及び深さＣは、表２に示す通りである。なお、例１０の鍼治療用指先感染防止シートについては、タブを粘着シートとライナーとの間に配置した後に、切り出しを行った。
【００４５】
＜鍼治療用指先感染防止シートのしわ防止効果＞
得られた鍼治療用指先感染防止シートのしわ防止効果を、以下の方法により評価した。まず、鍼治療用指先感染防止シートを人差し指の先端部分に貼付し、生じるしわの本数を確認した。この確認試験を５回繰り返して行い、各試験で確認されたしわの本数の平均値を求めた。
【００４６】
＜鍼治療用指先感染防止シートの除去容易性＞
また、得られた鍼治療用指先感染防止シートの鍼治療後の除去容易性を評価した。例１０の鍼治療用指先感染防止シートは、タグを設けたことにより、除去開始に必要なきっかけが簡単につかめ、施術後の粘着シート３の除去をより簡単に行うことができることが確認された。
【００４７】
【表２】
2010063547.tif 000004
【図面の簡単な説明】
【００４８】
【図１】本発明に係る鍼治療用指先感染防止シートの第１の実施形態を示し、（ａ）は鍼治療用指先感染防止シートの平面図、（ｂ）は（ａ）のＦ−Ｆ線に沿って切断した断面図である。
【図２】本発明に係る鍼治療用指先感染防止シートの第２の実施形態を示す平面図である（ライナーを省略する）。
【図３】本発明に係る鍼治療用指先感染防止シートの第３の実施形態を示し、（ａ）は鍼治療用指先感染防止シートの平面図、（ｂ）は（ａ）のＧ−Ｇ線に沿って切断した断面図である。
【図４】本発明の鍼治療用指先感染防止シートを用いた鍼治療方法を説明する図である。
【図５】本発明の鍼治療用指先感染防止シートの一使用態様を説明する図であり、（ａ）は指先に鍼治療用指先感染防止シートが貼着された手の全体図、（ｂ）は（ａ）のＸ−Ｘ線に沿って切断した断面図、（ｃ）は（ａ）のＹ−Ｙ線に沿って切断した断面図である。
【図６】例８における切欠部の開き角度θが１５゜である鍼治療用指先感染防止シートの形態を示す平面図である。
【図７】例１２における切欠部の開き角度θが９０゜である鍼治療用指先感染防止シートの形態を示す平面図である。
【図８】例１３における切欠部の開き角度θが０゜である鍼治療用指先感染防止シートの形態を示す平面図である。
【符号の説明】
【００４９】
１，１Ａ，１Ｂ    鍼治療用指先感染防止シート
２    キャリヤー
３，３Ａ，３Ｂ，３Ｃ    粘着シート
４    ライナー
５    切欠部
６    タブ
【図１】
2010063547.tif 000005
【図２】
2010063547.tif 000006
【図３】
2010063547.tif 000007
【図４】
2010063547.tif 000008
【図５】
2010063547.tif 000009
【図６】
2010063547.tif 000010
【図７】
2010063547.tif 000011
【図８】
2010063547.tif 000012